(57)【要約】【課題】フィルタよりも大きな空調ユニットの部品をメンテナンスし難い。【解決手段】室内ユニット３０は、空調対象空間ＳＰ１の上方に設置される箱部材３１及び底板部材３２と、開閉部材１００と、第１支持部及び第２支持部を有する第１枠部材８０と、を備える。箱部材３１及び底板部材３２は、室内ファン４３、室内熱交換器４２及びドレンパン４６を収容している。箱部材３１及び底板部材３２の下面には、空気の吸込口３２ｂが形成されている。第１枠部材８０は、吸込口３２ｂの下方に位置している。第１支持部及び第２支持部は、箱部材３１及び底板部材３２よりも下方に位置しており、開閉部材１００を支持する。開閉部材１００を開状態にしたときにドレンパン４６を空間ＵＳに取り出すことができるように、第１枠部材８０及び開閉部材１００が構成されている。【選択図】図４
2020165618.tif 000002
【特許請求の範囲】
【請求項１】
空調対象空間（ＳＰ１）の上部又は上方に設置され、ファン（４３）、熱交換器（４２）及びドレンパン（４６）を収容し、空気の吸込口（３２ｂ）が下面に形成されている本体ケーシング（３１，３２）と、
前記吸込口の下方に位置する開閉部材（１００）と、
前記本体ケーシングよりも下方に位置し前記開閉部材を支持する支持部（８１ａ１，８１ｂ１）、を有する支持部材（８１）と、
を備え、
前記開閉部材を開状態にしたときに前記ドレンパンを前記支持部よりも下の第１空間（ＵＳ）に取り出すことができるように、前記支持部材及び前記開閉部材が構成されている、
空調ユニット（３０）。
【請求項２】
前記開閉部材は、前記支持部に載置されている状態が閉状態であり、前記支持部から取り外された状態が前記開状態であり、
前記開閉部材を前記閉状態にしたときに下面視において前記ドレンパンの少なくとも一部と前記開閉部材とが重なるように、前記ドレンパンが配置されている、
請求項１に記載の空調ユニット。
【請求項３】
前記支持部（８１ｂ１）に支持された前記開閉部材（３５，６０）は、姿勢変化が可能であり、
前記開閉部材は、水平方向に沿った第１の姿勢である状態が閉状態であり、前記第１の姿勢とは異なる第２の姿勢になった状態が前記開状態であり、
前記開閉部材を前記閉状態にしたときに下面視において前記ドレンパンの少なくとも一部と前記開閉部材とが重なるように、前記ドレンパンが配置されている、
請求項１に記載の空調ユニット。
【請求項４】
前記閉状態の前記開閉部材（３５，６０）の少なくとも一部を上に持ち上げて前記支持部（８１ａ１，８１ｂ１）から外し、下面視において前記開閉部材を前記支持部からずらすことによって前記第１空間に前記開閉部材を取り出すことができるように、前記支持部（８１ａ１，８１ｂ１）と前記本体ケーシング（３１，３２）との間に隙間（Ｇ１）が設けられている、
請求項２に記載の空調ユニット。
【請求項５】
下面視において、前記閉状態の前記開閉部材の外縁が、前記ドレンパンの外縁の外側に位置している、
請求項２から４のいずれかに記載の空調ユニット。
【請求項６】
前記本体ケーシング（３１，３２）から下方に延びる、筒状のキャンバス製部材（９５）、
をさらに備え、
前記キャンバス製部材の下端と前記開閉部材とにより形成される開口と、前記本体ケーシングの前記吸込口と、を結ぶ空間が、前記空調対象空間の空気を前記本体ケーシング内の前記ファンへと導く吸込流路を形成する、
請求項１から５のいずれかに記載の空調ユニット。
【請求項７】
前記キャンバス製部材は、その上端の開口が、前記下端の開口よりも小さい、
請求項６に記載の空調ユニット。
【請求項８】
空調対象空間（ＳＰ１）の上部又は上方に設置され、ファン（４３）、熱交換器（４２）及びドレンパン（４６）を収容し、空気の吸込口（３２ｂ）が下面に形成されている本体ケーシング（３１，３２）と、
前記吸込口の下方に位置する開閉部材（１００）と、
前記本体ケーシングよりも下方に位置し前記開閉部材を支持する支持部（８１ａ１，８１ｂ１）、を有する支持部材（８１）と、
を備え、
前記開閉部材を開状態にしたときに前記ドレンパンをメンテナンスできるように、下面視において、閉状態の前記開閉部材の外縁が、前記ドレンパンの外縁の外側に位置している、
空調ユニット（３０）。
【発明の詳細な説明】
【技術分野】
【０００１】
空調ユニット、特に、開閉部材を備える空調ユニットに関する。
【背景技術】
【０００２】
特許文献１（特開２００１−２７４２８号公報）に、部屋の天井裏に設置される空調ユニットから吹出ダクトを延ばし、空調空気の吹出位置を空調ユニットの本体から離すことが開示されている。吹出ダクトは、空調ユニットの本体の側面から延びている。一方、吸込口は、空調ユニットの本体の下面に形成されている。
【発明の概要】
【発明が解決しようとする課題】
【０００３】
このような空調ユニットでは、本体の下に化粧パネルが設けられることが多い。化粧パネルは、天井の開口と空調ユニットの本体との間の隙間をなるべく隠し、見栄えを向上させる。上記の特許文献１（特開２００１−２７４２８号公報）では、吸込口パネルを備えており、見栄えの向上とともに、部屋の空気を空調ユニットの本体の吸込口へと導く。そして、空調ユニットの点検保守時には、吸込口パネルを取り外す。
【０００４】
しかし、特許文献１（特開２００１−２７４２８号公報）に開示されているパネルは、室内側から天井面に装着されており、取り外すためには工具が必要になる。また、パネルを取り外すことで、フィルタの清掃は可能であるが、フィルタよりも大きな空調ユニットの部品をメンテナンスし難い構造になっている。
【課題を解決するための手段】
【０００５】
第１観点の空調ユニットは、本体ケーシングと、開閉部材と、支持部材と、を備えている。本体ケーシングは、空調対象空間の上部又は上方に設置される。本体ケーシングは、ファン、熱交換器及びドレンパンを収容している。本体ケーシングの下面には、空気の吸込口が形成されている。開閉部材は、吸込口の下方に位置している。支持部材は、支持部を有している。支持部は、本体ケーシングよりも下方に位置しており、開閉部材を支持する。開閉部材を開状態にしたときにドレンパンを第１空間に取り出すことができるように、支持部材及び開閉部材が構成されている。第１空間は、支持部よりも下の空間である。
【０００６】
ここでは、開閉部材を開状態にしたときに、ドレンパンを、支持部よりも下の第１空間に取り出すことができるようになっている。これにより、空調ユニットのメンテナンス性が向上する。
【０００７】
第２観点の空調ユニットは、第１観点の空調ユニットであって、開閉部材は、支持部に載置されている状態が閉状態であり、支持部から取り外された状態が開状態である。開閉部材を閉状態にしたときに下面視においてドレンパンの少なくとも一部と開閉部材とが重なるように、ドレンパンが配置されている。
【０００８】
ここでは、下面視において閉状態の開閉部材とドレンパンとが少なくとも一部重なっているので、開閉部材が閉状態であると、ドレンパンを第１空間に取り出すことは困難、あるいは無理である。しかし、第２観点の空調ユニットでは、開閉部材を開状態にすることができるため、メンテナンス時にドレンパンを取り外すことができる。
【０００９】
第３観点の空調ユニットは、第１観点の空調ユニットであって、支持部に支持された前記開閉部材は、姿勢変化が可能である。開閉部材は、水平方向に沿った第１の姿勢である状態が、閉状態である。開閉部材は、第１の姿勢とは異なる第２の姿勢になった状態が、開状態である。開閉部材を閉状態にしたときに下面視においてドレンパンの少なくとも一部と開閉部材とが重なるように、ドレンパンが配置されている。
【００１０】
ここでは、下面視において閉状態の開閉部材とドレンパンとが少なくとも一部重なっているので、開閉部材が閉状態であると、ドレンパンを第１空間に取り出すことは困難、あるいは無理である。しかし、第５観点の空調ユニットでは、開閉部材を開状態にすることができるため、メンテナンス時にドレンパンを取り外すことができる。
【００１１】
第４観点の空調ユニットは、第２観点の空調ユニットであって、支持部と本体ケーシングとの間に隙間が設けられている。この隙間が設けられていることによって、閉状態の開閉部材の少なくとも一部を上に持ち上げて支持部から外すことができる。また、支持部と本体ケーシングとの間に隙間が設けられているため、下面視において開閉部材を支持部からずらすことができ、開閉部材を第１空間に取り出すことができる。
【００１２】
第５観点の空調ユニットは、第２観点から第４観点のいずれかの空調ユニットであって、下面視において、閉状態の開閉部材の外縁が、ドレンパンの外縁の外側に位置している。
【００１３】
ここでは、下面視において、開閉部材の外縁の内側にドレンパン全体が入る構成を採っているため、その開閉部材を開状態にすることによって、ドレンパンを容易に取り外せるようになる。
【００１４】
第６観点の空調ユニットは、第１観点から第５観点のいずれかの空調ユニットであって、筒状のキャンバス製部材をさらに備える。キャンバス製部材は、本体ケーシングから下方に延びる。キャンバス製部材の下端と開閉部材とにより形成される開口と、本体ケーシングの吸込口と、を結ぶ空間は、空調対象空間の空気を本体ケーシング内のファンへと導く吸込流路を形成する。
【００１５】
ここでは、空調対象空間の上方の少し離れた空間に本体ケーシングが配置されていても、キャンバス製部材によって空調対象空間の空気を本体ケーシング内に導くことができる。
【００１６】
第７観点の空調ユニットは、第６観点の空調ユニットであって、キャンバス製部材の上端の開口が、キャンバス製部材の下端の開口よりも小さい。
【００１７】
第８観点の空調ユニットは、本体ケーシングと、開閉部材と、支持部材と、を備えている。本体ケーシングは、空調対象空間の上部又は上方に設置される。本体ケーシングは、ファン、熱交換器及びドレンパンを収容している。本体ケーシングの下面には、空気の吸込口が形成されている。開閉部材は、吸込口の下方に位置している。支持部材は、支持部を有している。支持部は、本体ケーシングよりも下方に位置しており、開閉部材を支持する。開閉部材を開状態にしたときにドレンパンをメンテナンスできるように、下面視において、閉状態の開閉部材の外縁が、ドレンパンの外縁の外側に位置している。
【００１８】
ここでは、開閉部材のサイズを大きくしているため、開閉部材を開状態にしたときに、ドレンパンのメンテナンスがし易い。これにより、空調ユニットのメンテナンス性が向上する。
【図面の簡単な説明】
【００１９】
【図１】空気調和装置の冷媒配管系統を示す図。
【図２】空気調和装置の利用ユニットである室内ユニットから延びるダクト及び吹出ユニットの一例を示す斜視図。
【図３】室内ユニットから延びるダクト及び吹出ユニットの他の例を示す斜視図。
【図４】室内ユニットの縦断面図。
【図５】室内ユニットの分解斜視図。
【図６】図５のVI部分の装着を示す拡大斜視図。
【図７】図５のVII部分の装着を示す拡大斜視図。
【図８】箱部材、ドレンパン、枠部材、第１開閉パネル及び開閉フレームの下面視におけるサイズを比較する図。
【図９】ドレンパンの斜視図。
【図１０】第１枠部材に対して第１開閉パネル及び開閉フレームを回転させて、ドレンパン等を取り外した状態を示す概念図。
【発明を実施するための形態】
【００２０】
（１）空気調和装置の全体構成
図１は、複数の室内ユニット及び室外ユニットを有する空気調和装置１０の冷媒配管系統を示す図である。空気調和装置１０は、蒸気圧縮式の冷凍サイクル運転を行うことによって建物内の部屋を冷暖房する装置である。空気調和装置１０は、熱源ユニットとしての室外ユニット２０と、多数の利用ユニットとしての室内ユニット３０と、室外ユニット２０と室内ユニット３０とを接続する第１冷媒連絡管６及び第２冷媒連絡管７とを備えている。空気調和装置１０の冷媒回路は、室外ユニット２０と、室内ユニット３０と、冷媒連絡管６、７とが接続されることによって構成されている。そして、冷媒回路内には、冷媒が封入されており、冷媒が圧縮され、冷却され、減圧され、加熱・蒸発された後に、再び圧縮されるという冷凍サイクル運転が行われるようになっている。冷媒としては、例えば、Ｒ４１０Ａ、Ｒ４０７Ｃ、Ｒ３２、Ｒ１３４ａ、二酸化炭素、などから選択されたものが用いられる。
【００２１】
また、室内ユニット３０から吹き出される空調空気（冷風あるいは温風）は、図２や図３に示すように、ダクト５３を介して吹出ユニット５５から部屋の空調対象空間ＳＰ１に供給される。
【００２２】
（１−１）室外ユニット
室外ユニット２０は、建物の外あるいは建物の地下室などに設置される。室外ユニット２０は、主として、圧縮機２１と、四路切換弁２２と、室外熱交換器２３と、室外膨張弁２６と、アキュムレータ２９とを有している。四路切換弁２２を切り換えることによって、冷房運転と暖房運転とが切り換わる。室外熱交換器２３は、冷媒の放熱器又は蒸発器として機能する熱交換器である。
【００２３】
また、室外ユニット２０は、ユニット内に室外空気を吸入して、再び室外に排出するための室外ファン２７を有している。室外ファン２７は、室外空気と室外熱交換器２３を流れる冷媒との間で熱交換をさせる。
【００２４】
（１−２）室内ユニット
室内ユニット３０は、建物内の各階の天井（天井裏の空間を含む）などに設置される。各室内ユニット３０は、主として、減圧器である室内膨張弁４１と、利用側熱交換器としての室内熱交換器４２とを有している。
【００２５】
室内膨張弁４１は、冷媒を減圧するための機構であり、開度調整が可能な電動弁である。室内膨張弁４１は、その一端が第１冷媒連絡管６に接続され、その他端が室内熱交換器４２に接続されている。
【００２６】
室内熱交換器４２は、冷媒の蒸発器又は放熱器として機能する熱交換器である。室内熱交換器４２は、その一端が室内膨張弁４１に接続され、その他端が第２冷媒連絡管７に接続されている。
【００２７】
また、室内ユニット３０は、ユニット内に室内空気を吸入して、再び室内に供給するための室内ファン４３を備えており、室内空気と室内熱交換器４２を流れる冷媒との間で熱交換をさせる。
【００２８】
（１−３）吹出ユニット
吹出ユニット５５は、図２や図３に示すように、室内ユニット３０から離れた場所に設置され、室内ユニット３０からダクト５３を介して送られてきた空調空気を部屋の空調対象空間ＳＰ１に吹き出すユニットである。吹出ユニット５５には、ダクト５３を接続する１又は複数の接続口と、空調対象空間ＳＰ１に露出する吹出口５５ａとが形成されている。
【００２９】
なお、本実施形態においては、室内ユニット３０も吹出ユニット５５も、部屋の空調対象空間ＳＰ１の上方に位置する設置空間ＳＰ２に配置されている。この設置空間ＳＰ２は、後述する部屋の天井９０の裏（上）の空間である。
【００３０】
（２）室内ユニットの詳細構成
次に、図４〜図７を参照して、室内ユニット３０の詳細な構造について説明する。
【００３１】
（２−１）本体ケーシング及び本体ケーシングに収容される部品
図４に示すように、空調対象空間ＳＰ１を含む部屋の天井９０の上方（空間ＳＰ２）に、室内ユニット３０が配置されている。室内ユニット３０は、金属製の箱部材３１及び底板部材３２を有している。これらの箱部材３１及び底板部材３２は、本体ケーシングとしての機能を果たす。上述の室内膨張弁４１、室内熱交換器４２及び室内ファン４３も、箱部材３１の中に収容されている。また、室内ユニット３０は、室内熱交換器４２における結露水を受けるためのドレンパン４６、室内ファン４３に対応して設けられているベルマウス４４、ダクト５３との接続に用いる接続部材３３などを有している。ドレンパン４６及びベルマウス４４は、箱部材３１の中に収容されている。接続部材３３は、箱部材３１の４つの側面それぞれに固定される。箱部材３１の側面には、円筒状の接続部材３３の開口と対向する位置に、吹出用開口３１ａが形成されている。箱部材３１の下面は、開口している。
【００３２】
室内熱交換器４２は、概ね四角筒の形状である。室内ファン４３は、ターボファンであり、下から吸い込んだ空気を側方に吹き出す。室内ファン４３から吹き出された空気は、室内熱交換器４２を通ってダクト５３へと流れる。
【００３３】
ドレンパン４６は、図９に示すような形状の樹脂製部材である。ドレンパン４６の下には、底板部材３２が配置されている。底板部材３２は、平面視で外縁が四角形の部材であり、中央に円形開口が形成されている。この底板部材３２の円形開口は、下方から室内ファン４３へと空気を導く吸込口３２ｂとなる。底板部材３２には、後述するキャンバス製部材９５の上端が着脱自在に装着される。また、底板部材３２は、平板状のエアフィルタ３９を着脱自在に保持する保持部３２ａを有している。
【００３４】
箱部材３１は、天井裏の空間ＳＰ２にある梁（図示せず）から吊り下げられる。この状態で、本体ケーシングを構成する箱部材３１及び底板部材３２と天井９０との間には、高さ方向に大きな隙間Ｇ１（図４参照）ができる。
【００３５】
（２−２）本体ケーシングの下方の部品
さらに、室内ユニット３０は、本体ケーシングを構成する箱部材３１及び底板部材３２から下方に離れた位置に、姿勢変化可能に支持される開閉部材１００（第１開閉パネル３５、開閉フレーム６０等）と、第１枠部材８０と、を有している。
【００３６】
（２−２−１）第１枠部材
第１枠部材８０は、箱部材３１に吊り下げられる形で、箱部材３１に固定される。この第１枠部材８０に、第１開閉パネル３５及び開閉フレーム６０が姿勢変化可能に支持される。第１枠部材８０は、四辺を有する環状の枠本体８１と、枠本体８１の４つの角部それぞれから上に延びる４つの固定部材８２とを有している。４つの固定部材８２の上端は、箱部材３１の側面の４つの角部に固定される４つの支持部３１ｃにビス止めされる。枠本体８１の下面は、図４に示すように天井９０に沿って水平に延びる。枠本体８１の内周部には、図６及び図７に示すように、開閉フレーム６０を支持する第１支持部８１ａ１及び第２支持部８１ｂ１が形成されている。第１支持部８１ａ１は、第１開口８１ａの下辺を構成する部分である。第２支持部８１ｂ１は、第１支持部８１ａ１が形成される枠本体８１の辺と対向する辺に構成されている。第２支持部８１ｂ１は、第２開口８１ｂの下辺を構成する部分である。
【００３７】
（２−２−２）第１開閉パネル及び開閉フレーム
第１開閉パネル３５及び開閉フレーム６０は、図５に示すように別部品であるが、連結部材３７によって一体化され、開閉部材１００を構成する。開閉部材１００は、第１枠部材８０に支持され、第１枠部材８０に対して回転する。
【００３８】
第１開閉パネル３５は、図４に示すように、底板部材３２の吸込口３２ｂ及びその吸込口３２ｂを覆うエアフィルタ３９の下方に位置している。第１開閉パネル３５は、図５に示すように、四角形の板状の部材である。
【００３９】
連結部材３７は、図５に示すように４箇所に設けられ、一端がビスによって第１開閉パネル３５に固定され、他端がビスによって開閉フレーム６０に固定される。
【００４０】
開閉フレーム６０は、四辺を有する環状の部材である。開閉フレーム６０は、第１枠部材８０の枠本体８１よりも小さい。図４に示すように、開閉フレーム６０の外縁は、第１枠部材８０の枠本体８１の内縁と隣り合うように配置される。開閉フレーム６０は、第１枠部材８０に対して回転可能に支持される機能を持つ。開閉フレーム６０は、外壁６０ａと、図６に示す可動部材６１と、図７に示す被支持部６２とを有している。
【００４１】
図６に示す開閉フレーム６０の可動部材６１は、一辺の外壁６０ａに形成された開口から先端部６１ａが外側に突き出た状態（図６の状態）と、一辺の外壁６０ａに形成された開口まで先端部６１ａが引っ込んだ状態と、が手動で切り換わる部材である。可動部材６１の先端部６１ａとは反対側には、ユーザーやメンテナンスを行う人が指を引っ掛けるための爪部６１ｂが形成されている。可動部材６１の先端部６１ａが枠本体８１の第１開口８１ａに挿入されることで、可動部材６１は、枠本体８１の第１支持部８１ａ１に支持された状態となる。
【００４２】
なお、図６には１つの可動部材６１を示しているが、開閉フレーム６０は、２つの可動部材６１を有している。第１枠部材８０の枠本体８１の第１開口８１ａも、第１枠部材８０の複数箇所に形成されている。
【００４３】
図７に示す開閉フレーム６０の被支持部６２は、可動部材６１が位置する辺とは反対側の辺の外壁６０ａに設けられている。被支持部６２は、外壁６０ａから外側に突出しており、下面に３つの湾曲面６２ａを有している。被支持部６２が枠本体８１の第２開口８１ｂに挿入され、被支持部６２の３つの湾曲面６２ａが第２開口８１ｂの下辺を構成する第２支持部８１ｂ１に載った状態で、開閉フレーム６０の被支持部６２が第１枠部材８０の枠本体８１に支持される。この開閉フレーム６０の被支持部６２及び第１枠部材８０の枠本体８１の第２支持部８１ｂ１から成る支持構造は、第１枠部材８０に対して開閉フレーム６０を回転させることができる支持構造となっている。開閉フレーム６０が水平姿勢を採るときには、開閉フレーム６０の被支持部６２の湾曲面６２ａの基部が枠本体８１の第２支持部８１ｂ１に載る状態となり、開閉フレーム６０が水平面に対して傾斜した姿勢（ここでは鉛直姿勢；図１０参照）を採るときには、開閉フレーム６０の被支持部６２の湾曲面６２ａの先端近傍部が枠本体８１の第２支持部８１ｂ１に載る状態となる。
【００４４】
なお、図７には１つの被支持部６２を示しているが、開閉フレーム６０は、可動部材６１が位置する辺とは反対側の辺の外壁６０ａに、３つの被支持部６２を有している。第１枠部材８０の枠本体８１の第２支持部８１ｂ１から成る支持構造も、第１枠部材８０の複数箇所に形成されている。
【００４５】
また、第１開閉パネル３５と開閉フレーム６０とが一体化された開閉部材１００には、図４及び図５に示すように、第１開閉パネル３５の各辺と開閉フレーム６０の各辺との間に、スリット（隙間）ＳＬ１が形成される。さらに、開閉部材１００が第１枠部材８０から外れて落下することがないように、図４に示すチェーン７０が設けられている。
【００４６】
（２−３）箱部材、ドレンパン、枠部材、第１開閉パネル及び開閉フレームの大きさ
図８は、本体ケーシングを構成する箱部材３１、ドレンパン４６、第１枠部材８０、第１開閉パネル３５及び開閉フレーム６０を含む開閉部材１００の下面視における大きさを比較するための図面である。但し、開閉部材１００については、開閉フレーム６０の外周縁と第１枠部材８０の枠本体８１の内周縁８１ｄとが微少隙間を介して対向しており、枠本体８１の内周縁のサイズが分かれば十分であるため、図８では第１開閉パネル３５及び開閉フレーム６０を含む開閉部材１００の図示を省略している。この図示の省略は、箱部材３１及びドレンパン４６の外縁を容易に把握できるようにするためでもある。
【００４７】
図８に示すように、下面視において内周縁８１ｄが正方形である枠本体８１は、その内周縁８１ｄの対向する辺同士の距離が、長さＷ５（mm）である。本体ケーシングを構成する箱部材３１は、その外周縁の対向する２辺の距離が、長さＷ４（mm）である。ドレンパン４６は、その外周縁の対向する２辺の距離が、長さＷ３（mm）である。そして、これらの長さの大小関係は、
Ｗ５＞Ｗ４＞Ｗ３
である。
【００４８】
そして、第１開閉パネル３５及び開閉フレーム６０を含む開閉部材１００の外縁は、第１枠部材８０の枠本体８１の内周縁８１ｄと概ね同じサイズである。したがって、閉状態の開閉部材１００の外縁は、下面視において、ドレンパン４６の外縁の外側に位置することになる。
【００４９】
このように室内ユニット３０を構成しているため、第１開閉パネル３５及び開閉フレーム６０を開ける又は取り外すことによって、第１枠部材８０の大きな中央開口からドレンパン４６にアクセスして、メンテナンス時にドレンパン４６を取り外すことも可能である。以下、そのメンテナンス時の動作の一例を説明する。
【００５０】
（２−４）キャンバス製部材
キャンバス製部材９５は、上下に開口する厚地の織物である。キャンバス製部材９５の上端は、底板部材３２のエアフィルタ３９の保持部３２ａの外側に固定される。キャンバス製部材９５の下端は、第１枠部材８０の内周部の上端に接続される。キャンバス製部材９５の上の開口及び下の開口は、ともに正方形である。そして、図４に示すように、キャンバス製部材９５の上の開口は、キャンバス製部材９５の下の開口よりも小さい。
【００５１】
（３）メンテナンス時における開閉部材の開け方
例えば、経年劣化等の理由によって室内ユニット３０から水漏れが生じた場合、ドレンパン４６の点検を行うことになる。本実施形態の空気調和装置１の室内ユニット３０では、まず、第１開閉パネル３５及び開閉フレーム６０を含む開閉部材１００を、図１０において点線で示す水平状態（閉状態）から図１０において実線で示す鉛直状態（開状態）に姿勢変化させる（図１０の円弧状の２本の点線を参照）。閉状態において、第１枠部材８０の第１開口８１ａに挿入されている開閉フレーム６０の可動部材６１の先端部６１ａを、メンテナンスをする人（以下、メンテナンス者と称す）が第１開口８１ａから引き抜く。その際、メンテナンス者は、開閉部材１００の開閉フレーム６０の可動部材６１の近傍の下面を手で支えておき、開閉部材１００が急に回転することを防ぐ。その後、メンテナンス者が手で支えている開閉部材１００を下げていくと、図７に示す開閉フレーム６０の被支持部６２が、枠本体８１の第２支持部８１ｂ１の上をスライドしながら回転し、枠本体８１に対する開閉部材１００の姿勢が変わっていく。メンテナンス者が開閉部材１００の一辺を手で支えながら降ろしていくと、開閉部材１００が、水平状態（閉状態）から回転していき、最終的には、図１０に示す垂直状態（開状態）に姿勢変化する。
【００５２】
このように第１開閉パネル３５及び開閉フレーム６０含む開閉部材１００を姿勢変化させ、例えば図１０に示すような垂直状態にしてしまえば、エアフィルタ３９の取り外し、底板部材３２の取り外し、ベルマウス４４の取り外し、ドレンパン４６の取り外し、など、メンテナンスで必要な１又は複数の作業を行うことが容易になる。
【００５３】
（４）メンテナンス時における開閉部材の取り外し方
また、第１開閉パネル３５及び開閉フレーム６０含む開閉部材１００は、第１枠部材８０に支持させたまま姿勢変化させるのではなく、完全に第１枠部材８０から取り外すことも可能である。
【００５４】
この場合は、図４に示す安全用のチェーン７０を最初から外しておくか、開閉部材１００を一旦開けてからチェーン７０を外す必要がある。
【００５５】
第１枠部材８０から開閉部材１００を取り外す場合、姿勢変化させるときと同様に開閉フレーム６０の可動部材６１の先端部６１ａを第１枠部材８０の第１開口８１ａから引き抜き、次に、開閉フレーム６０の可動部材６１の近傍を少し上に持ち上げる。また、反対側の開閉フレーム６０の被支持部６２の近傍も少し上に持ち上げ、開閉フレーム６０の被支持部６２を第１枠部材８０の第２支持部８１ｂ１から浮かせる。この状態になると、開閉部材１００を横にずらして、開閉フレーム６０の被支持部６２を第１枠部材８０の第２開口８１ｂから抜くことができる。その後、開閉部材１００を水平面に対して少し傾斜した状態にすれば、第１枠部材８０の中央開口を通して開閉部材１００を真下に降ろすことができる。
【００５６】
（５）特徴
（５−１）
空気調和装置１の室内ユニット３０は、本体ケーシングとして機能する箱部材３１及び底板部材３２と、第１開閉パネル３５及び開閉フレーム６０を含む開閉部材１００と、第１枠部材８０と、を備えている。箱部材３１及び底板部材３２は、空調対象空間ＳＰ１の上方に設置されている。箱部材３１及び底板部材３２は、室内ファン４３、室内熱交換器４２及びドレンパン４６を収容している。箱部材３１及び底板部材３２の下面には、空気の吸込口３２ｂが形成されている。第１枠部材８０は、吸込口３２ｂの下方に位置している。第１枠部材８０は、第１支持部８１ａ１及び第２支持部８１ｂ１を有している。第１支持部８１ａ１及び第２支持部８１ｂ１は、箱部材３１及び底板部材３２よりも下方に位置しており、開閉部材１００を支持する。図１０に示すように開閉部材１００を開状態にしたときにドレンパン４６を第１空間ＵＳ（図１０参照）に取り出すことができるように、第１枠部材８０及び開閉部材１００が構成されている。第１空間ＵＳは、第１支持部８１ａ１及び第２支持部８１ｂ１を有する第１枠部材８０の枠本体８１よりも下の空間である。
【００５７】
ここでは、図１０に示すように、開閉部材１００を開状態にしたときに、ドレンパン４６を、第１支持部８１ａ１及び第２支持部８１ｂ１を有する第１枠部材８０よりも下の第１空間ＵＳに取り出すことができる。これにより、室内ユニット３０のメンテナンス性が向上している。
【００５８】
（５−２）
空気調和装置１の室内ユニット３０では、第１支持部８１ａ１及び第２支持部８１ｂ１は、開閉部材１００の開閉フレーム６０の一部分（可動部材６１及び被支持部６２）を下から支える。メンテナンス時に、開閉部材１００を取り外す場合、開閉部材１００は、第１支持部８１ａ１及び第２支持部８１ｂ１に載置されている状態が閉状態であり、第１支持部８１ａ１及び第２支持部８１ｂ１から取り外された状態が開状態である。そして、開閉部材１００を閉状態にしたときに、下面視においてドレンパン４６の一部と開閉部材１００とが重なるように、ドレンパン４６が配置されている（図４参照）。
【００５９】
ここでは、図４等から明らかなように、開閉部材１００が閉状態（図４の実線で示す状態）であると、ドレンパン４６を第１空間ＵＳに取り出すことは無理である。
【００６０】
しかし、室内ユニット３０では、開閉部材１００を取り外した開状態にすることができるため、メンテナンス時にドレンパン４６を取り外すことができる。
【００６１】
（５−３）
空気調和装置１の室内ユニット３０では、図４に実線で示す開閉部材１００の閉状態において、開閉部材１００の第１開閉パネル３５と開閉フレーム６０との間に、空調対象空間ＳＰ１と底板部材３２の吸込口３２ｂとを連通させるスリット（隙間）ＳＬ１が存在する。
【００６２】
ここでは、空調対象空間ＳＰ１がある部屋の天井９０の裏（ＳＰ２）に本体ケーシングとして機能する箱部材３１及び底板部材３２を設置しているが、室内ファン４３には、天井９０の裏の空間ＳＰ２の空気ではなく、空調対象空間ＳＰ１の空気を、吸込口３２ｂを介して導くことができる。これにより、効率的に空調能力を使うことができる。
【００６３】
（５−４）
空気調和装置１の室内ユニット３０では、第１枠部材８０の第１支持部８１ａ１及び第２支持部８１ｂ１に支持された開閉部材１００は、姿勢変化が可能である。開閉部材１００は、図４において実線で示す水平方向に沿った第１の姿勢である状態が、閉状態である。開閉部材１００は、第１の姿勢とは異なる第２の姿勢になった状態が、開状態である。本実施形態では、図１０において実線で示す状態が、開閉部材１００の開状態である。
【００６４】
そして、上記（５−２）で説明したとおり、開閉部材１００が閉状態（図４の実線で示す状態）であると、ドレンパン４６を第１空間ＵＳに取り出すことは無理である。
【００６５】
しかし、室内ユニット３０では、開閉部材１００を姿勢変化させて、図１０おいて実線で示す開状態にすることができるため、メンテナンス時にドレンパン４６を取り外すことができる。
【００６６】
（５−５）
空気調和装置１の室内ユニット３０では、開閉部材１００を閉めた閉状態において、第１支持部８１ａ１及び第２支持部８１ｂ１を有する第１枠部材８０の枠本体８１と、本体ケーシングとして機能する箱部材３１及び底板部材３２との間に、図４に示す隙間Ｇ１が設けられている。この隙間Ｇ１が設けられていることによって、閉状態の開閉部材１００の少なくとも一部を上に持ち上げて、第１支持部８１ａ１及び第２支持部８１ｂ１から外すことができる。また、第１支持部８１ａ１及び第２支持部８１ｂ１を有する枠本体８１と箱部材３１及び底板部材３２との間に隙間Ｇ１が設けられているため、下面視において開閉部材１００を第１支持部８１ａ１及び第２支持部８１ｂ１からずらすことができ、開閉部材１００を第１空間ＵＳに取り出すことができる。
【００６７】
（５−６）
空気調和装置１の室内ユニット３０は、角筒状のキャンバス製部材９５を備えている。キャンバス製部材９５は、空調対象空間ＳＰ１の空気を室内ファン４３へと導く吸込流路を形成する。このため、空調対象空間ＳＰ１の上方の少し離れた空間に室内ファン４３を収容する箱部材３１及び底板部材３２が配置されているけれども、キャンバス製部材９５によって空調対象空間ＳＰ１の空気を室内ファン４３に導くことができている。
【００６８】
（５−７）
空気調和装置１の室内ユニット３０では、上記（２−３）で説明したとおり、開閉部材１００を開状態にしたときにドレンパン４６をメンテナンスできるように、下面視において、閉状態の開閉部材１００の開閉フレーム６０の外縁を、ドレンパン４６の外縁の外側に位置させている。
【００６９】
ここでは、開閉部材１００のサイズを大きくしているため、開閉部材１００を開状態にしたときに、ドレンパン４６のメンテナンスがし易い。これにより、室内ユニット３０のメンテナンス性が向上している。
【００７０】
（６）変形例
（６−１）変形例１Ａ
上記実施形態では、閉状態の開閉部材１００の外縁を、下面視において、ドレンパン４６の外縁の外側に位置させている。
【００７１】
しかし、室内ユニットのタイプによっては、完全に開閉部材の外縁の内側にドレンパン４６の外縁が入っていなくても、メンテナンス時にドレンパン４６の下面の８０％以上が見えれば、十分にメンテナンスが可能である。但し、開閉部材１００を開けたときに、下面視において少なくとも７０％以上のドレンパン４６の下面が露出することが、メンテナンス性の観点から好ましい。
【００７２】
（６−２）変形例１Ｂ
上記実施形態では、開閉部材１００の開閉フレーム６０の被支持部６２及び第１枠部材８０の枠本体８１の第２支持部８１ｂ１から成る支持構造によって、第１枠部材８０に対する開閉部材１００の姿勢変化（回転）を可能にしている。
【００７３】
しかし、この支持構造に代えて、ヒンジ構造を採用してもよいし、リンク機構によって開閉部材１００が旋回して開く構造を採用してもよい。
【００７４】
（６−３）変形例１Ｃ
上記実施形態では、第１開閉パネル３５及び開閉フレーム６０を一体化した開閉部材１００を採用し、第１開閉パネル３５と開閉フレーム６０との間にスリット（隙間）ＳＬ１を設け、そのスリット（隙間）ＳＬ１を介して空調対象空間ＳＰ１の空気を室内ファン４３に導いている。
【００７５】
しかし、天井９０の裏の空間（設置空間）ＳＰ２の空気を吸い込んで室内熱交換器４２で冷やしたり温めたりすることも可能である。この場合、開閉部材１００を２部材に分けることなく、１つの板状部材を開閉部材にすることもできる。
【００７６】
（６−４）変形例１Ｄ
上記実施形態では、室内ユニット３０から離れた場所に吹出ユニット５５を設置することに鑑み、空調対象空間ＳＰ１と、第１枠部材８０の枠本体８１よりも下の空間である第１空間ＵＳとを区別した説明を行っている。しかし、空調対象空間ＳＰ１と第１空間ＵＳとが同じ部屋にある場合には、空調対象空間ＳＰ１の一部が第１空間ＵＳとなる。一方、室内ユニット３０を設置している部屋と、吹出ユニット５５を設置している部屋との間に仕切り壁がある場合には、第１空間ＵＳは、空調対象空間ＳＰ１とは別の空間になる。
【００７７】
（６−５）変形例１Ｅ
上記実施形態では、天井裏の空間（設置空間）ＳＰ２に本体ケーシングとして機能する箱部材３１及び底板部材３２を設置しているが、この配置に代えて、箱部材３１及び底板部材３２を、天井９０から吊り下げる形で、天井９０の下方の空調対象空間ＳＰ１に設置することも可能である。
【００７８】
（６−６）
上記実施形態では、（３）及び（４）で説明したとおり、開閉部材１００を姿勢変化させることも、開閉部材１００を第１枠部材８０から取り外すことも可能である。
【００７９】
しかし、開閉部材１００の開閉フレーム６０の被支持部６２から回転機能を無くし、開閉フレーム６０の被支持部６２を単に枠本体８１に載せる簡易な構造を採用することも可能である。この場合、第１枠部材８０に支持された状態のまま開閉部材１００が水平状態から垂直状態に姿勢変化することは出来なくなるが、上記（４）で説明したように、メンテナンス時に開閉部材１００を第１枠部材８０から取り外すことは出来る。取り外すことによって開閉部材１００を開ける構造を採用しても、メンテナンスのためにドレンパン４６を第１空間ＵＳに取り出すことは可能である。
【００８０】
（６−７）
以上、空気調和装置の室内ユニット（空調ユニット）の実施形態を説明したが、特許請求の範囲に記載された本開示の趣旨及び範囲から逸脱することなく、形態や詳細の多様な変更が可能なことが理解されるであろう。
【符号の説明】
【００８１】
３０      室内ユニット（空調ユニット）
３１      箱部材（本体ケーシング）
３２      底板部材（本体ケーシング）
３２ｂ    吸込口
３５      第１開閉パネル
４２      室内熱交換器（熱交換器）
４３      室内ファン（ファン）
４６      ドレンパン
６０      開閉フレーム
８１      枠本体（支持部材）
８１ａ１  第１支持部（支持部）
８１ｂ１  第２支持部（支持部）
９５      キャンバス製部材
１００      開閉部材
Ｇ１    隙間
ＳＰ１    空調対象空間
ＵＳ      第１空間
【先行技術文献】
【特許文献】
【００８２】
【特許文献１】特開２００１−２７４２８号公報
【図１】
2020165618.tif 000003
【図２】
2020165618.tif 000004
【図３】
2020165618.tif 000005
【図４】
2020165618.tif 000006
【図５】
2020165618.tif 000007
【図６】
2020165618.tif 000008
【図７】
2020165618.tif 000009
【図８】
2020165618.tif 000010
【図９】
2020165618.tif 000011
【図１０】
2020165618.tif 000012